(57)【要約】【課題】  電源スイッチオンまたは受信チャンネル切り換え後の画面表示の初期応答性を改善する。【解決手段】  受信された複数のセグメントの内、第１のセグメント群（Ｂ１〜Ｂ６、Ｂ８〜Ｂ１３）に含まれる放送データを復号する第１の復号手段（４ａ、５ａ）、第２のセグメント（Ｂ７）に含まれる放送データを復号する第２の復号手段（４ｂ、５ｂ）とを備え、任意のチャンネルの受信の開始を指示すると、このチャンネルに対応する複数のセグメントについて、前記第１の復号手段よる復号処理と前記第２の復号手段による復号処理とを同時に行い、その結果、先に映像情報が生成された方の画面を優先的に前記表示手段（７）に表示する。【選択図】  図１
2005167557.tif 000002
【特許請求の範囲】
【請求項１】
一チャンネルにつき複数のセグメントで構成される放送信号を受信する受信手段と、
この受信手段により受信された複数のセグメントの内、第１のセグメント群に含まれる放送データを復号する第１の復号手段と、
前記受信手段により受信された複数のセグメントの内、第２のセグメントに含まれる放送データを復号する第２の復号手段と、
前記第１の復号手段または前記第２の復号手段による復号処理によって生成された映像情報に基づく画面を表示する表示手段と、
任意のチャンネルの受信の開始を指示する指示手段と、
この指示手段によって任意のチャンネルの指示が検出されると、このチャンネルに対応する複数のセグメントを受信し、前記第１の復号手段よる復号処理と前記第２の復号手段による復号処理とを同時に行うよう制御する復号制御手段と、
この復号制御手段による復号処理の結果、先に映像情報が生成された方の画面を優先的に前記表示手段に表示させる表示制御手段と
を備えたことを特徴とする放送受信装置。
【請求項２】
前記表示制御手段によって表示された画面が前記第２の復号手段によって生成された映像情報に基づくものである場合、前記第１の復号手段による映像情報の生成が完了した時点で前記第１の復号手段によって生成された映像情報に基づく画面に切り替える切替手段を更に備えたことを特徴とする請求項２に記載の放送受信装置。
【請求項３】
一チャンネルにつき複数のセグメントで構成される放送信号を受信する受信部と、前記受信部にて受信された複数のセグメントの内、第１のセグメント群に含まれる放送データを復号する第１の復号部と、前記受信部にて受信された複数のセグメントの内、第２のセグメントに含まれる放送データを復号する第２の復号部と、復号された映像情報に基づく画面を表示する表示部とを備えた電子機器における表示制御方法であって、
任意のチャンネルの受信の開始を指示する指示ステップと、
この指示ステップにて任意のチャンネルの指示が検出されると、前記受信部にこのチャンネルに対応する複数のセグメントを受信させ、前記第１の復号部による復号処理と前記第２の復号部による復号処理とを同時に行うよう制御する復号制御ステップと、
この復号制御ステップによる復号処理の結果、先に映像情報が生成された方の画面を優先的に前記表示部に表示させる表示制御ステップと
からなることを特徴とする表示制御方法。
【発明の詳細な説明】
【技術分野】
【０００１】
本発明は、地上波デジタルテレビ放送を受信する放送受信装置、および、表示制御方法に関し、詳細には、ＩＳＤＢ−Ｔ方式の地上波デジタルテレビジョン放送信号を受信して当該放送番組の情報（画音または文字等）を再生表示する放送受信装置、および、表示制御方法に関する。
【背景技術】
【０００２】
ＩＳＤＢ−Ｔ（Integration Services Digital Broadcasting Terrestrial）方式は、１９９９年に策定された我が国における地上波デジタル放送の技術基準である。ＩＳＤＢ−Ｔ方式の最大の特徴は、一つの放送チャンネルを多重構造としたことにある（たとえば、非特許文献１参照）。すなわち、１事業者に割り当てられる約５．７５ＭＨｚの周波数帯域（チャンネル）内に、「セグメント」と呼ばれる伝送単位（帯域幅約４２９ＫＨｚ）を１３個多重化したことにある。
【０００３】
事業者は、セグメントを組み合わせて、固定受信端末向けのハイビジョン放送、固定または移動受信端末向けの標準放送、及び、携帯電話機やＰＤＡ（Personal Digital Assistance）あるいはカーナビ等のモバイル受信端末向けの簡易動画放送をサイマルキャストする。サイマルキャスト（SIMULCAST：SimultaneousとBroadcastの合成語）とは“同時同内容”の放送のことをいう。サイマル放送ともいう。
【０００４】
図４は、地上波デジタル放送のサービス例とその受信概念図である。地上波デジタル放送の送信アンテナから送出された任意チャンネルの地上波テレビジョン放送信号には、１３個のセグメントが含まれている。Ｓ１〜Ｓ１３は便宜的に付したセグメント番号である。事業者はこれらのセグメントを組み合わせて異なる受信端末向けのサイマル放送を行うが、ＩＳＤＢ−Ｔ方式では、当面、１２セグメント（Ｓ１〜Ｓ６及びＳ８〜Ｓ１３）で固定受信端末（持ち運び可能な移動受信端末を含む）向けのハイビジョン放送や標準放送を行い、残りの１セグメント（Ｓ７）でモバイル端末向けの簡易動画放送を行うものとされている。簡易動画放送とは、元画像（ハイビジョン放送画像や標準放送画像）のフレーム数とフレームサイズを小さくして所要伝送レートを抑えたものである。
【０００５】
ここで、一般的に、１２個のセグメントを用いた放送のことを「１２セグメント放送」といい、１個のセグメントを用いた放送のことを「１セグメント放送」というが、ＩＳＤＢ−Ｔ方式では、さらに、９セグメントのハイビジョン放送と３セグメントの標準放送と１セグメントの簡易動画放送とをサイマルキャストする仕様も定められているため、本明細書では、このようなセグメント数を限定する用語（１２セグメント放送や１セグメント放送）を用いない。
【０００６】
すなわち、ＩＳＤＢ−Ｔ方式におけるサイマル放送は、固定受信端末や移動受信端末向けの放送とモバイル受信端末向けの放送とを同時に行うものであるから、本明細書においては、「固定受信端末向け放送」と「モバイル受信端末向け放送」と表現することにする。ただし、“固定受信端末”と“移動受信端末”は区別しない。どちらもハイビジョン放送や標準放送を受信するための受信端末であるからである。したがって、本明細書においては、“固定受信端末”という場合は“移動受信端末”の意味も含むものとし、且つ、「固定受信端末向け放送」と「移動受信端末向け放送」とを同義語として取り扱うことにする。
【０００７】
なお、モバイル受信端末については“移動”しながら使用されため、移動受信端末の一種と考えられなくもないが、移動受信端末とモバイル受信端末は表示解像度や伝送レートの点で明らかな違いがあるため、つまり、携帯電話機やＰＤＡ等のモバイル端末は、持ち運び可能な地上波デジタルテレビ受信機（移動受信端末）と比べて表示解像度が遙かに低く、しかも、放送信号の受信速度（伝送レート）も大幅に遅いため、これらの点（解像度と伝送レート）で区別することとする。
【０００８】
上記のとおり、ＩＳＤＢ−Ｔ方式では、当面、固定受信端末向け放送とモバイル受信端末向け放送とをサイマルキャストするので、視聴者は、その時々の状況に応じて、固定受信端末を用いてハイビジョン放送や標準放送を受信したり、または、モバイル受信端末を用いて簡易動画放送を受信したりすることができ、同一内容の放送を臨機応変に楽しむことができる。
【０００９】
【非特許文献１】「ディジタル放送教科書（下）」株式会社ＩＤＧジャパン、２００３年２月１日初版発行、４８頁−５０頁
【発明の開示】
【発明が解決しようとする課題】
【００１０】
ところで、従来の地上波デジタルテレビ受信機のうち、もっぱらハイビジョン放送や標準放送の受信に供されるもの（固定受信端末）にあっては、電源スイッチをオンにしてもすぐには画面が出てこない、また、受信チャンネルを切り換えてもすぐには画面が出てこない、という不都合があった。その理由は、固定受信端末の信号処理系に復号回路などの時間遅れ要素が含まれているからであり、遅れ時間を経過した後でなければ、電源スイッチオン後の初期画面や受信チャンネル切り換え後の初期画面が現れないからである。
【００１１】
したがって、従来の地上波デジタルテレビ受信機のうち、もっぱらハイビジョン放送や標準放送の受信に供されるもの（固定受信端末）にあっては、電源スイッチをオンにし、または、受信チャンネルを切り換えた後の所定時間（数秒ほど）を経過するまでは画面に何も表示されないので、画面表示の初期応答性に欠けるという問題点がある。
【００１２】
したがって、本発明が解決しようとする課題は、もっぱらハイビジョン放送や標準放送の受信に供される放送受信装置において、電源スイッチをオンにし、または、受信チャンネルを切り換えた後の画面表示の初期応答性の改善を図ることにある。
【課題を解決するための手段】
【００１３】
本発明に係る放送受信装置は、一チャンネルにつき複数のセグメントで構成される放送信号を受信する受信手段と、この受信手段により受信された複数のセグメントの内、第１のセグメント群に含まれる放送データを復号する第１の復号手段と、前記受信手段により受信された複数のセグメントの内、第２のセグメントに含まれる放送データを復号する第２の復号手段と、前記第１の復号手段または前記第２の復号手段による復号処理によって生成された映像情報に基づく画面を表示する表示手段と、任意のチャンネルの受信の開始を指示する指示手段と、この指示手段によって任意のチャンネルの指示が検出されると、このチャンネルに対応する複数のセグメントを受信し、前記第１の復号手段よる復号処理と前記第２の復号手段による復号処理とを同時に行うよう制御する復号制御手段と、この復号制御手段による復号処理の結果、先に映像情報が生成された方の画面を優先的に前記表示手段に表示させる表示制御手段とを備えたことを特徴とする。
【００１４】
また、本発明に係る放送受信装置は、前記表示制御手段によって表示された画面が前記第２の復号手段によって生成された映像情報に基づくものである場合、前記第１の復号手段による映像情報の生成が完了した時点で前記第１の復号手段によって生成された映像情報に基づく画面に切り替える切替手段を更に備えたことを特徴とする。
【００１５】
また、本発明は、一チャンネルにつき複数のセグメントで構成される放送信号を受信する受信部と、前記受信部にて受信された複数のセグメントの内、第１のセグメント群に含まれる放送データを復号する第１の復号部と、前記受信部にて受信された複数のセグメントの内、第２のセグメントに含まれる放送データを復号する第２の復号部と、復号された映像情報に基づく画面を表示する表示部とを備えた電子機器における表示制御方法であって、任意のチャンネルの受信の開始を指示する指示ステップと、この指示ステップにて任意のチャンネルの指示が検出されると、前記受信部にこのチャンネルに対応する複数のセグメントを受信させ、前記第１の復号部による復号処理と前記第２の復号部による復号処理とを同時に行うよう制御する復号制御ステップと、この復号制御ステップによる復号処理の結果、先に映像情報が生成された方の画面を優先的に前記表示部に表示させる表示制御ステップとからなることを特徴とする。
【発明の効果】
【００１６】
本発明によれば、電源をオンにしたとき、または、受信チャンネルを切り換えたとき、まず、第１のセグメント群として１２個のセグメントで放送信号が構成される固定受信端末向け放送と第２のセグメントとして１個のセグメントで放送信号が構成されるモバイル受信端末向け放送のうち先に生成された映像情報の画面を表示する。したがって電源をオンにしたときや受信チャンネルを切り換えたときに、とりあえず先に表示できる映像情報による画面を表示させておくことにより、画像の非表示期間を短くして、画面表示の初期応答性の改善を図ることができる。
【発明を実施するための最良の形態】
【００１７】
以下、本発明の実施の形態を、図面を参照しながら説明する。なお、以下の説明における様々な細部の特定ないし実例および数値や文字列その他の記号の例示は、本発明の思想を明瞭にするための、あくまでも参考であって、それらのすべてまたは一部によって本発明の思想が限定されないことは明らかである。また、周知の手法、周知の手順、周知のアーキテクチャおよび周知の回路構成等（以下「周知事項」）についてはその細部にわたる説明を避けるが、これも説明を簡潔にするためであって、これら周知事項のすべてまたは一部を意図的に排除するものではない。かかる周知事項は本発明の出願時点で当業者の知り得るところであるので、以下の説明に当然含まれている。
【００１８】
図１は、実施の形態の地上波デジタルテレビ受信機（放送受信装置）のブロック図である。この図において、地上波デジタルテレビ受信機（以下、単に「テレビ受信機」という。）１は、もっぱらハイビジョン放送や標準放送の受信に供されるもの（固定受信端末）である。テレビ受信機１は、アンテナ２、受信部３（受信手段）、復調部４、復号部５、表示制御部６（表示制御手段）、表示部７（表示手段）、音声出力部８、スピーカ９、中央制御部１０（復号制御手段、切替手段）及び操作部１１（指示手段）などを含んで構成されている。
【００１９】
各部を説明すると、受信部３は、アンテナ２と共に、ＩＳＤＢ−Ｔ方式の地上波デジタルテレビ放送信号を受信するための同調回路（チューナ）を構成する。この受信部３は、地上波デジタルテレビ放送信号の全て（ｎ個：ｎはＵＨＦの１３チャンネルから６２チャンネルまでの５０個）の受信チャンネルについて、各受信チャンネルの１３個のセグメントに対応した同数の同調ブロックを備える。受信部３はまた、任意チャンネルの一つないしは複数の同調ブロックを動作させることにより、それらの一つないしは複数の同調ブロックに対応したセグメントを選択的に受信する。図中のＢ１〜Ｂ１３は、ある受信チャンネルの１３個の同調ブロックを模式的に表している。さらに、同ブロックからなる縦長の矩形図形は一つの受信チャンネルを模式的に表している。すなわち、縦長の矩形図形はチャンネル数ｎと同数であり、各矩形図形内にそれぞれ１３個の同調ブロックＢ１〜Ｂ１３が実装された模式的構造になっている。
【００２０】
冒頭でも説明したとおり、我が国における地上波デジタルテレビ放送は、当面、「固定受信端末向け放送」と「モバイル受信端末向け放送」とをサイマルキャストするものと考えられており、この場合の固定受信端末向け放送は７番目のセグメント（Ｂ７ブロックに対応するセグメント）を除く１２個のセグメント（Ｂ１〜Ｂ６ブロック及びＢ８〜Ｂ１３ブロックに対応するセグメント；第１セグメント群）を使用し、モバイル受信端末向け放送は７番目のセグメント（Ｂ７ブロックに対応するセグメント；第２のセグメント）を使用する。したがって、同調ブロックのＢ１〜Ｂ６及びＢ８〜Ｂ１３は第１受信再生手段の一部を構成すると共に、残りの同調ブロックのＢ７は第２受信再生手段の一部を構成する。
【００２１】
本実施の形態のテレビ受信機１は、固定受信端末として用いられるものであり、この点において、受信部３は、通常、固定受信端末向け放送のみを受信して再生するが、特定の条件下では、モバイル受信端末向け放送を受信して再生することができるようになっている。なお、特定の条件下についての説明は後述する。
【００２２】
復調部４は、受信部３で取り出された任意の受信チャンネルのセグメントをＯＦＤＭ（Orthogonal Frequency Division Multiplexing：直交周波数分割多重）に対応した方式で復調する。ＩＳＤＢ−Ｔ方式では、１３個のセグメントを最大３種類の異なる変調方式を持つグループで分割できるとされており、たとえば、固定受信端末向け放送は６４ＱＡＭ（Quadrature Amplitude Modulation：直交振幅変調）方式を、また、モバイル受信端末向け放送はＤＱＰＳＫ（Differential Quadrature Phase Shift Keying：差動４相位相変調）方式を用いて変調されている。
【００２３】
復調部４は、それらの変調方式ごとの二種類の復調ブロックを備える。すなわち、固定受信端末向け放送の放送データを復調するための６４ＱＡＭ復調ブロック４ａとモバイル受信端末向け放送の放送データを復調するためのＤＱＰＳＫ復調ブロック４ｂとを備える。したがって、６４ＱＡＭ復調ブロック４ａは第１の復号手段（第１の復号部）の一部を構成すると共に、ＤＱＰＳＫ復調ブロック４ｂは第２の復号手段（第２の復号部）の一部を構成する。既述のとおり、本実施の形態のテレビ受信機１は、固定受信端末として用いられるものであるため、復調部４は、通常、固定受信端末向け放送用の復調ブロック（６４ＱＡＭ復調ブロック４ａ）のみを動作させるが、特定の条件下では、モバイル受信端末向け放送用の復調ブロック（ＤＱＰＳＫ復調ブロック４ｂ）も同時に動作させるようになっている。
【００２４】
復号部５は、復調部４で復調された固定受信端末向け放送またはモバイル受信端末向け放送の放送データを各々の圧縮方式に適合したアルゴリズムで伸張（圧縮されたデータを元のデータに戻すこと）して映像情報を生成するためのものであり、各アルゴリズムごとの復号ブロックを備える。たとえば、固定受信端末向け放送の放送データから映像情報をＭＰＥＧ−２で復号（伸張）する固定受信端末向け放送用の復号ブロック５ａと、モバイル受信端末向け放送の放送データから映像情報をＨ．２６４（ITU-T勧告アルゴリズムの一つ。ＭＰＥＧ−４の一部（Part10）として承認される見通し。）で復号（伸張）するモバイル受信端末向け放送用の復号ブロック５ｂと、固定受信端末向け放送及びモバイル受信端末向け放送の音声情報をＭＰＥＧ−２＿ＡＡＣ（Advanced Audio Coding）で復号（伸張）する音声用の復号ブロック５ｃとを備える。したがって、固定受信端末向け放送用の復号ブロック５ａは第１の復号手段（第１の復号部）の一部を構成すると共に、モバイル受信端末向け放送用の復号ブロック５ｂは第２の復号手段（第２の復号部）の一部を構成する。
【００２５】
そして、この復号部５も、上記の受信部３や復調部４と同様に、通常は、固定受信端末向け放送用の復号ブロック５ａのみを動作させるが、特定の条件下では、モバイル受信端末向け放送用の復号ブロック５ｂも同時に動作させるようになっている。なお、音声用の復号ブロック５ｃについては、放送種別に関わらず動作する。
【００２６】
ここで、ＭＰＥＧ（Moving Picture Experts Group）とは映像データの圧縮方式の一つである。具体的には画像の中の動く部分だけを検出・保存するなどしてデータを圧縮する。ＭＰＥＧではＶｅｒｓｉｏｎ１（ＭＰＥＧ−１）や、Ｖｅｒｓｉｏｎ２（ＭＰＥＧ−２）、及び、Ｖｅｒｓｉｏｎ４（ＭＰＥＧ−４）などの各規格が定められており、再生品質はＭＰＥＧ−１がＶＴＲ（Video Tape Recorder）並み、ＭＰＥＧ−２がハイビジョンテレビ並みである。また、ＭＰＥＧ−４は携帯電話や電話回線などの通信速度の低い回線を通じた、低画質、高圧縮率の映像（簡易動画）の配信を目的とした規格である。このＭＰＥＧ−４の一部（Part10）として、Ｈ．２６４が承認される見通しである。
【００２７】
表示制御部６は、冷陰極管や液晶ディスプレイパネルまたはプラズマディスプレイパネルあるいは有機ＥＬ（Electro Luminescence）ディスプレイパネルなどで構成された表示部７の表示制御を行うものである。この表示制御は、通常、復号部５で復号された固定受信端末向け放送の映像信号を表示部７に出力して、その画像情報を表示させるが、特定の条件下では、復号部５で復号されたモバイル受信端末向け放送の映像信号を表示部７に出力して、その画像情報を表示させる。
【００２８】
音声出力部８は、復号部５で復号された固定受信端末向け放送の音声信号またはモバイル受信端末向け放送の音声信号を増幅してスピーカ９を駆動するものである。
【００２９】
中央制御部１０は、テレビ受信機１の動作を統括する部分であり、たとえば、マイクロコンピュータによって構成されているものである。この中央制御部１０は、電源オンオフボタン、チャンネル選択ボタン、音量調節ボタン及びその他の機能ボタンなどを含む操作部１１からの操作信号に応答して、通常のテレビ受信制御、たとえば、電源をオンオフにしたり、受信チャンネルを切り換えたり、表示部７の表示調整を行ったり、スピーカ９の音量を調整したりする。また、この中央制御部１０は、電源スイッチをオンにした直後と受信チャンネルを切り換えた直後に、以下に説明する「初期画面選択制御処理」を実行する。
【００３０】
図２は、「初期画面選択制御処理」の概念的なフローチャートを示す図である。このフローチャートでは、まず、設定チャンネルを読み込む（ステップＳ１１）。設定チャンネルとは、前回（電源スイッチをオフにする直前に）、視聴していた受信チャンネルのことをいう。または、受信チャンネルを切り換えた際の切り換え先の受信チャンネルのことをいう。
【００３１】
設定チャンネルを読み込むと、次に、二つの処理系統Ａ、Ｂを同時並行的に進める。第一の処理系統Ａは、設定チャンネルの固定受信端末向け放送（図では「固定向け放送」と略している；以下同様）の受信（ステップＳ１２）と同放送の初期画面生成（ステップＳ１３）とを含み、第二の処理系統Ｂは、設定チャンネルのモバイル受信端末向け放送（図では「モバイル向け放送」と略している；以下同様）の受信（ステップＳ１４）と同放送の初期画面生成（ステップＳ１５）とを含む。
【００３２】
具体的には、第一の処理系統ＡのステップＳ１２で、受信部３の該当受信チャンネルの固定受信端末向け放送用同調ブロックＢ１〜Ｂ６、Ｂ８〜Ｂ１３を動作させて、設定チャンネルの固定受信端末向け放送の放送データを受信し、同処理系統ＡのステップＳ１３で、復調部４の固定受信端末向け放送用復調ブロック４ａと、復号部５の固定受信端末向け放送復号ブロック５ａとを動作させて映像情報を生成し、設定チャンネルの固定受信端末向け放送の初期画面を生成する。また、それと同時に、第二の処理系統ＢのステップＳ１４で、受信部３の該当受信チャンネルのモバイル受信端末向け放送用同調ブロックＢ７を動作させて、設定チャンネルのモバイル受信端末向け放送の放送データを受信し、同処理系統ＢのステップＳ１５で、復調部４のモバイル受信端末向け放送用復調ブロック４ｂと、復号部５のモバイル受信端末向け放送復号ブロック５ｂとを動作させて映像情報を生成し、設定チャンネルのモバイル受信端末向け放送の初期画面を生成する。
【００３３】
なお、上記の“同時並行”は、次のことを意味する。一般にマイクロコンピュータはコストの点でシングルＣＰＵ（Central Processing Unit：演算処理装置）のものが用いられる。そして、特殊な用途を除き、マイクロコンピュータはノイマン型（命令を逐次に処理するもの）で動作するため、厳密に言えば、上記の二つの処理系統Ａ、Ｂを同時並行的に進めることはできない。そこで、通常、ノイマン型のシングルＣＰＵで複数の処理を同時並行的に進める場合は、各々の処理を細分化し、時分割方式によって各処理を交互に行うことにより、見かけ上の同時並行処理を達成している。したがって、本実施の形態における“同時並行”も、このような見かけ上のものを意味する。なお、本実施の形態の中央制御部１０をマルチＣＰＵ搭載型のマイクロコンピュータで構成した場合は、一のＣＰＵで第一の処理系統Ａを担当し、二のＣＰＵで第二の処理系統Ｂを担当することにより、厳密な意味の“同時並行”処理を実現できることはもちろんである。
【００３４】
上記の二つの処理系統（第一の処理系統Ａと第二の処理系統Ｂ）の少なくともいずれか一方が完了すると、次に、どちらの処理系統が先に完了したかを判定する（ステップＳ１６）。ここで、上記の二つの処理系統（第一の処理系統Ａと第二の処理系統Ｂ）を同時に開始した場合、高い蓋然性で第二の処理系統Ｂの方が先に処理を終える。これは、固定受信端末向け放送とモバイル受信端末向け放送の情報量と伝送レートに違い（固定受信端末向け放送の情報量と伝送レート＞モバイル受信端末向け放送の情報量と伝送レート）があるからであり、この違いによって両者の処理時間に差（Ａ：遅い、Ｂ：早い）がつくからである。
【００３５】
つまり、ステップＳ１６で、第二の処理系統Ｂの方が先に処理を終えたと判定された場合は、次に、表示制御部６を切り換えて、復号部５のモバイル受信端末向け放送用復号ブロック５ｂの出力を表示部７に出力し（ステップＳ１７）、これにより、表示部７にモバイル受信端末向け放送の初期画面を表示させる。そして、固定受信端末向け放送の初期画面生成を完了したか否か、言い換えれば、上記の第一の処理系統Ａを完了したか否かを判定（ステップＳ１８）するまでループを繰り返し、第一の処理系統Ａの完了を判定すると、表示制御部６を再び切り換えて、復号部５の固定受信端末向け放送用復号ブロック５ａの出力を表示部７に出力し（ステップＳ１９）、これにより、表示部７に固定受信端末向け放送の初期画面を表示させた後、以上の処理を終了する。
【００３６】
図３は、「初期画面選択制御処理」のタイムチャートを示す図である。このタイムチャートにおいて、上段は固定受信端末向け放送の第一の処理系統Ａを示し、中段はモバイル受信端末向け放送の第二の処理系統Ｂを示し、下段はそれらの処理系統Ａ、Ｂの組み合わせから得られる表示部７の表示結果を示している。
【００３７】
すなわち、時点Ｔ0で電源スイッチがオンになり、または、受信チャンネルが切り換えられると、第一の処理系統Ａと第二の処理系統Ｂが同時進行的に開始される。そして、時点Ｔ1に至ると、第二の処理系統Ｂの処理が完了し、モバイル受信端末向け放送の初期画面が得られるため、このモバイル受信端末向け放送の初期画面が表示部７に表示される。しかる後、ある時間を経過した時点Ｔ2に至ると、第一の処理系統Ａの処理も完了し、この時点Ｔ2で固定受信端末向け放送の初期画面が得られるため、先のモバイル受信端末向け放送の初期画面の代わりに、この固定受信端末向け放送の初期画面が表示部７に表示される。
【００３８】
したがって、このタイムチャートによれば、従来、固定受信端末向け放送の初期画面が得られるまでの時間（Ｔａ）は、表示部７に何も画像が現れない無用な待ち時間であったのに対して、本実施の形態では、同時間（Ｔａ）よりも短い時間（Ｔｂ）を経過した時点Ｔ1でモバイル受信端末向け放送の初期画面が表示されるから、時点Ｔ1から時点Ｔ2間での間に、とりあえず放送内容を確認できる程度の映像（モバイル受信端末向け放送の初期画面）を暫定的に表示することができ、待ち時間を短縮（Ｔａ−Ｔｂ）して、従来技術の欠点（画面表示の初期応答性）を改善できるという効果が得られる。
【図面の簡単な説明】
【００３９】
【図１】実施の形態の地上波デジタルテレビ受信機のブロック図である。
【図２】「初期画面選択制御処理」の概念的なフローチャートを示す図である。
【図３】「初期画面選択制御処理」のタイムチャートを示す図である。
【図４】地上波デジタル放送のサービス例とその受信概念図である。
【符号の説明】
【００４０】
１  テレビ受信機（放送受信装置）
３  受信部（受信手段）
４ａ  ６４ＱＡＭ復調ブロック（第１の復号手段、第１の復号部）
４ｂ  ＤＱＰＳＫ復調ブロック（第２の復号手段、第２の復号部）
５ａ  固定受信端末向け放送復号ブロック（第１の復号手段、第１の復号部）
５ｂ  モバイル受信端末向け放送復号ブロック（第２の復号手段、第２の復号部）
６  表示制御部（表示制御手段、切替手段）
７  表示部（表示手段）
１０  中央制御部（復号制御手段、選択手段、表示手段）
１１  操作部（指示手段）
【図１】
2005167557.tif 000003
【図２】
2005167557.tif 000004
【図３】
2005167557.tif 000005
【図４】
2005167557.tif 000006